(57)【要約】【課題】ドアが閉じられる際に、ドアの移動に伴って敷居上に存在する異物を、敷居の外部に排除することができる昇降機のドア装置の提供。【解決手段】本発明は、乗場敷居１４によって案内される乗場ドア１１の閉じ動作時の衝撃を緩和する下部戸当たり部材を構成する下部戸当たりゴム１８を備えたエレベータの乗場ドア装置であり、下部戸当たりゴム１８の横断面形状を、乗場ドア１１の移動方向と直交する方向の寸法が、乗場ドア１１の端部に対向する三方枠部材１５ａに近づくに従って大きくなる寸法に、例えばテーパ部１８ａを形成する寸法に設定し、下部戸当たりゴム１８を乗場敷居１４に当接させるように立設配置した構成にしてある。【選択図】図２
2017013971.tif 000002
【特許請求の範囲】
【請求項１】
敷居によって案内されるドアの閉じ動作時の衝撃を緩和する戸当たり部材を備えた昇降機のドア装置において、
前記戸当たり部材の横断面形状を、前記ドアの移動方向と直交する方向の寸法が、前記ドアの閉じ動作時に前記ドアの端部が係止される特定部位に近づくに従って大きくなる寸法に設定し、
前記戸当たり部材を前記敷居に当接させるように立設配置したことを特徴とする昇降機のドア装置。
【請求項２】
請求項１に記載の昇降機のドア装置において、
前記昇降機は、エレベータから成り、
前記戸当たり部材は、前記特定部位に固定される第１固定部と、前記敷居の溝に固定される第２固定部とを有する弾性体から成ることを特徴とする昇降機のドア装置。
【請求項３】
請求項２に記載の昇降機のドア装置において、
前記戸当たり部材の前記第１固定部は、前記特定部位に形成された穴に嵌入する第１突起から成り、前記第２固定部は、前記敷居の溝に挿入される第２突起から成ることを特徴とする昇降機のドア装置。
【請求項４】
請求項２または３に記載の昇降機のドア装置において、
前記戸当たり部材の前記横断面形状は、乗場または昇降路に対向するように傾斜するテーパ部を含むことを特徴とする昇降機のドア装置。
【請求項５】
請求項４に記載の昇降機のドア装置において、
前記戸当たり部材の前記横断面形状は、前記テーパ部を形成する辺を有する三角形から成ることを特徴とする昇降機のドア装置。
【請求項６】
請求項２または３に記載の昇降機のドア装置において、
前記戸当たり部材の前記横断面形状は、乗場または昇降路に対向するように配置される円弧部を含むことを特徴とする昇降機のドア装置。
【請求項７】
請求項２または３に記載の昇降機のドア装置において、
前記ドアは、片開き式のドアから成り、
前記特定部位は、乗場に設けられる三方枠、または乗かごに設けられる前柱から成ることを特徴とする昇降機のドア装置。
【請求項８】
請求項２または３に記載の昇降機のドア装置において、
前記ドアは、両開き式のドアから成り、
前記特定部位は、前記両開き式の一方のドアの端部、または他方のドアの端部から成ることを特徴とする昇降機のドア装置。
【請求項９】
請求項１に記載の昇降機のドア装置において、
前記戸当たり部材を、前記ドアの前記端部に設けたことを特徴とする昇降機のドア装置。
【発明の詳細な説明】
【技術分野】
【０００１】
本発明は、ドアの閉じ動作時の衝撃を緩和する戸当たり部材を備えたエレベータ等の昇降機のドア装置に関する。
【背景技術】
【０００２】
図６は、昇降機の一例として挙げた従来のエレベータの概略構成を示す側面図、図７は、図６に示すエレベータに備えられる従来のドア装置の一例を示す正面図である。これらの図６，７に示す従来の昇降機のドア装置は、例えばエレベータの乗場ドア装置を示している。
【０００３】
図６に示すように、一般的なエレベータは、昇降路１の全行程にわたって立設されるガイドレール２と、このガイドレール２により案内され、昇降路１の階床３ａ，３ｂ〜３ｎ間を昇降する乗かご４と、この乗かご４と相対して昇降路１内を昇降するつり合いおもり５と、これらの乗かご４及びつり合いおもり５を吊り上げる複数本の主ロープ６と、例えば昇降路１の上部に配置された機械室７に設置され、主ロープ６を駆動する巻上機８とを備えている。
【０００４】
また、乗かご４に備えられたかごドア９は、乗かご４に設置された戸開閉装置１０によって開閉され、このかごドア９に係合して、階床３ａ〜３ｎに設置された乗場ドア１１が開閉する。
【０００５】
図７に示すように、前述した乗場ドア１１が例えば片開き方式のドアである場合、乗場ドア１１は、ドアパネル１１ａとドアパネル１１ｂの２枚のドアパネルを含む。これらのドアパネル１１ａ，１１ｂを含む乗場ドア１１は、階床３ａ〜３ｎに設置されたドアハンガ１２に吊り下げられ、乗場床１３に固定される乗場敷居１４によって案内される。
【０００６】
また、乗場ドア１１は、三方枠部材１５ａ，１５ｂ，１５ｃに囲まれるようにして配置してあり、乗場ドア１１の閉じ動作時に乗場ドア１１の端部が係止される特定部位を形成する三方枠部材１５ａには例えば、乗場ドア１１が閉じられるときの衝撃を緩和させる戸当たり部材が設けられる。この戸当たり部材は例えば、上部戸当たりゴム１６と、下部戸当たりゴム１７とによって構成されている。この種の従来技術が、特許文献１に開示されている。
【先行技術文献】
【特許文献】
【０００７】
【特許文献１】特開２０１３−２０９１７４号公報
【発明の概要】
【発明が解決しようとする課題】
【０００８】
前述した特許文献１に開示された従来技術、及び図６，７に示した従来技術のいずれも、乗場敷居１４から離れた高さ位置に戸当たり部材、すなわち下部戸当たりゴム１７等が設けられていることもあって、乗場ドア１１が閉じられる動作に伴って乗場敷居１４上に存在する綿埃等のゴミ、ボルト、ナット、モルタル片、配線固定用の金具等の異物が乗場敷居１４上を移動し、乗場ドア１１が閉じられた際に、この乗場ドア１１の下端と乗場敷居１４との間に、または乗場ドア１１の下端と乗場敷居１４の溝との間に前述の異物が挟まり、乗場ドア１１が閉状態のままロックするオープンロックを発生する虞がある。なお、かごドア装置にあっても同様の問題がある。
【０００９】
本発明は、前述した従来技術における実情からなされたもので、その目的は、ドアが閉じられる際に、ドアの移動に伴って敷居上に存在する異物を、敷居の外部に排除することができる昇降機のドア装置を提供することにある。
【課題を解決するための手段】
【００１０】
前記目的を達成するために、本発明に係る昇降機のドア装置は、敷居によって案内されるドアの閉じ動作時の衝撃を緩和する戸当たり部材を備えた昇降機のドア装置において、前記戸当たり部材の横断面形状を、前記ドアの移動方向と直交する方向の寸法が、前記ドアの閉じ動作時に前記ドアの端部が係止される特定部位に近づくに従って大きくなる寸法に設定し、前記特定部位に近づくに従って大きくなる寸法に設定し、前記戸当たり部材を前記敷居に当接させるように立設配置したことを特徴としている。
【発明の効果】
【００１１】
本発明に係る昇降機のドア装置によれば、ドアが閉じられる際に、ドアの移動に伴って敷居上に存在する異物を、戸当たり部材の特有な形状と、この戸当たり部材の特有な配置形態との協働によって敷居の外部に排除することができる。これにより本発明は、従来生じる虞があったオープンロックの発生を抑えることができ、信頼性の高い昇降機のドア装置を実現させることができる。前述した以外の課題、構成及び効果は、以下の実施形態の説明により明らかにされる。
【図面の簡単な説明】
【００１２】
【図１】本発明に係る昇降機のドア装置の一実施形態を構成するエレベータの乗場ドア装置を示す正面図である。
【図２】図１に示す乗場ドア装置に備えられる下部戸当たりゴム部分を示す斜視図である。
【図３】図２に示す下部戸当たりゴム部分を示す正面図である。
【図４】図２に示す下部戸当たりゴムの横断面図である。
【図５】図２に示す下部戸当たりゴム部分を示す断面部分を含む側面図である。
【図６】昇降機の一例として挙げた従来のエレベータの概略構成を示す側面図である。
【図７】図６に示すエレベータに備えられる従来のドア装置の一例を示す正面図である。
【発明を実施するための形態】
【００１３】
以下、本発明に係る昇降機のドア装置の実施の形態を図面に基づいて説明する。
【００１４】
図１は、本発明に係る昇降機のドア装置の一実施形態を構成するエレベータの乗場ドア装置を示す正面図、図２は、図１に示す乗場ドア装置に備えられる下部戸当たりゴム部分を示す斜視図、図３は、図２に示す下部戸当たりゴム部分を示す正面図、図４は、図２に示す下部戸当たりゴムの横断面図、図５は、図２に示す下部戸当たりゴム部分を示す断面部分を含む側面図である。
【００１５】
本実施形態も、昇降機のドア装置の一例として、図６，７に示したと同様のエレベータの乗場ドア装置から成っている。本実施形態におけるエレベータの基本構成は、前述した図６に示したものと例えば同等である。また、乗場ドア１１付近の構成も、下部戸当たり部材を構成する下部戸当たりゴム１８を除けば、前述した図７に示したものと例えば同等である。したがって以下にあっては、必要に応じて図６，７に示した符号を用いて説明を行う。
【００１６】
図１に示すように、本実施形態の乗場ドア１１も、例えば２枚のドアパネル１１ａ，１１ｂを含む片開き式のドアから成っている。この乗場ドア１１は前述したようにドアハンガ１２によって吊下げられ、乗場敷居１４によって案内される。
【００１７】
乗場ドア１１の閉じ動作時に乗場ドア１１の端部が係止される特定部位、例えば三方枠１５ａの上部位置には、上部戸当たり部材、すなわち上部戸当たりゴム１６を取り付けてあり、下部位置には本実施形態の特徴とする下部戸当たり部材、例えば弾性体を構成する下部戸当たりゴム１８を取り付けてある。
【００１８】
図４に示すように、下部戸当たりゴム１８の横断面形状を、乗場ドア１１の移動方向と直交する方向の寸法が、乗場ドア１１の閉じ動作時に乗場ドア１１の端部が係止される特定部位、すなわち三方枠部材１５ａに近づくに従って大きくなる寸法に設定してある。また、図１，２等に示すように、下部戸当たりゴム１８を、乗場ドア１１を案内する乗場敷居１４に当接するように立設配置してある。
【００１９】
下部戸当たりゴム１８は、三方枠部材１５ａに固定される第１固定部と、乗場敷居１４の溝１４ａに固定される第２固定部とを有している。図３〜５に示すように、下部戸当たりゴム１８の前述した第１固定部は、三方枠１５ａに形成される取り付け穴２０に嵌入する第１突起１８ｂから成り、第２固定部は、乗場敷居１４の溝１４ａに挿入される第２突起１８ｃから成っている。
【００２０】
図２，４に示すように、下部戸当たりゴム１８の横断面形状は、例えば乗場に対向するように傾斜するテーパ部１８ａを含んでいる。すなわち図４に示すように、下部戸当たりゴム１８の横断面形状は、テーパ部１８ａを形成する辺を有する三角形、例えばテーパ部１８ａを形成する長辺を有する直角三角形から成っている。
【００２１】
図２，３，５に示すように、下部戸当たりゴム１８の頂部には、例えば乗場、及び乗場ドア１１の端部に対向するように設けた曲面部１８ｄを形成してある。
【００２２】
このように構成した本実施形態は、乗場ドア１１が閉じられるときは、乗場ドア１１の端部が上部戸当たりゴム１６と、下部戸当たりゴム１８に当接し、乗場ドア１１の閉動作時における衝撃が緩和される。
【００２３】
また、乗場ドア１１が閉じられる際に、乗場ドア１１の移動に伴って、乗場敷居１４上に存在する異物は、乗場ドア１１の端部によって押されるようにして乗場敷居１４上を、下部戸当たりゴム１８方向に移動する。その移動した異物が下部戸当たりゴム１８に接触すると、乗場ドア１１のさらなる移動に伴って下部戸当たりゴム１８のテーパ部１８ａに沿うように案内されて、乗場敷居１４の外部、すなわち乗場方向に排出される。
【００２４】
このように本実施形態によれば、乗場ドア１１が閉じられる際に、乗場ドア１１の移動に伴って乗場敷居１４上に存在する異物を、下部戸当たりゴム１８の特有な形状と、この下部戸当たりゴム１８の特有な配置形態との協働によって、乗場敷居１４の外部の乗場に排除することができる。これにより本実施形態は、乗場ドア１１が閉じられた状態でロックするオープンロックの発生を抑えることができ、信頼性の高いエレベータの乗場ドア装置を実現させることができる。
【００２５】
また、下部戸当たりゴム１８の曲面部１８ａに落下した異物は、この曲面部１８ａによって乗場方向に、あるいは乗場敷居１４の上に導くことができる。すなわち、下部戸当たりゴム１８の曲面部１８ａは、異物の排除に貢献する。
【００２６】
なお、前述した実施形態では、下部戸当たりゴム１８の横断面形状を、乗場に対向するように傾斜するテーパ部１８ａを含む形状に設定したが、この下部戸当たりゴム１８の横断面形状を、昇降路１に対向するように傾斜するテーパ部を含む形状に設定し、乗場敷居１４上の異物を昇降路１に排除する構成にしてもよい。このように構成したものでは、異物が昇降路１内に排除されるので、乗場側を清浄な状態に保つことができる。
【００２７】
また、下部戸当たりゴム１８の横断面形状を、前述したテーパ部１８ａを有する形状に代えて、乗場または昇降路１に対向するように配置される円弧部を含む形状に設定してもよい。このように構成したものでは、異物を円弧部に接触させることができるので、より円滑に異物を排除させることができる。
【００２８】
また、前述した実施形態は、エレベータの乗場ドア装置であるので、乗場１の端部が対向する特定部位が三方枠部材１５ａから成っているが、本発明をエレベータのかごドア装置に適用してもよい。その場合、片開き式のかごドアから成るときは、かごドアの閉じ動作時に下部戸当たりゴム１８が係止される特定部位を、乗かごに設けられる前柱によって構成することができる。
【００２９】
また、下部戸当たりゴム１８を前述のように三方枠部材１５ａ、あるいは乗かごの前柱に設けることに代えて、乗場ドア１１の端部に、あるいはかごドアの端部に設けるようにしてもよい。
【００３０】
また、本発明に係る昇降機のドア装置は、両開き方式のドアであってもよく、下部戸当たりゴム１８が固定される特定部位を、両開き式のドアを形成する一方のドアの端部、または他方のドアの端部によって構成してもよい。
【００３１】
さらに本発明は、エレベータに適用されることには限定されず、ドアが敷居によって案内される構造を有するものであれば、エレベータとは異なる昇降機にも適用することができる。
【００３２】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３３】
１    昇降路
４    乗かご
９    かごドア
１１    乗場ドア
１１ａ  ドアパネル
１１ｂ  ドアパネル
１３    乗場床
１４    乗場敷居
１４ａ  溝
１５ａ，１５ｂ，１５ｃ  三方枠部材
１６    上部戸当たりゴム
１８    下部戸当たりゴム（戸当たり部材）
１８ａ  テーパ部
１８ｂ  第１突起（第１固定部）
１８ｃ  第２突起（第２固定部）
１８ｄ  曲面部
２０    取り付け穴
【図１】
2017013971.tif 000003
【図２】
2017013971.tif 000004
【図３】
2017013971.tif 000005
【図４】
2017013971.tif 000006
【図５】
2017013971.tif 000007
【図６】
2017013971.tif 000008
【図７】
2017013971.tif 000009